(57)【要約】  本発明は、バイオメトリック認証の目的で、ある人間をサインアップするための方法であって、前記人間の生物学的属性の画像(I)を取得するステップであって、前記生物学的属性が、1組の特性要素(10)を含む、ステップと、この取得された画像の内部に、前記生物学的属性の少なくとも一部分を含む少なくとも1つの領域(Z1,Z2,...,Zm;11,12)を画定するステップと、バイオメトリックデータベース(7)に、前記画定された領域に含まれる特性要素の数(n1,n2,...,nm)がそれぞれの所定の整数(N1,N2,...,Nm)より小さいことを示す少なくとも1つの情報((Z1,N1),(Z2,N2),...,(Zm,Nm))を格納するステップとを含む、方法に関する。関連するバイオメトリック認証法も提供される。
2013526744.tif 000002
【特許請求の範囲】
【請求項１】
バイオメトリック認証の目的で個体を登録するための方法であって、
-  前記個体の生物学的属性の画像(I)を取得するステップであって、前記生物学的属性が1組の特性要素(10)を含む、ステップと、
-  前記取得された画像の内部に、前記生物学的属性の少なくとも一部分を含む少なくとも1つの領域(Z1,Z2,...,Zm;11,12)を画定するステップと、
-  バイオメトリックデータベース(7)に、前記画定された領域に含まれる特性要素の数(n1,n2,...,nm)がそれぞれの所定の整数(N1,N2,...,Nm)より小さいことを示す少なくとも1つの情報((Z1,N1),(Z2,N2),...,(Zm,Nm))を格納するステップと
を含む、方法。
【請求項２】
基準系(13)が、前記生物学的属性の少なくとも1つの注目すべき要素(9)に応じて前記取得された画像(I)内に配置され、前記領域(11)が、前記基準系に対して画定される、請求項1に記載の方法。
【請求項３】
複数の領域(Z1,Z2,...,Zm;11,12)が、前記取得された画像(I)内で画定され、前記複数の領域(12)の少なくともいくつかが、少なくとも部分的に重なり合う、請求項1または2に記載の方法。
【請求項４】
前記複数の領域(Z1,Z2,...,Zm;11,12)が、少なくとも第1の領域と第2の領域とを含み、前記第1の領域が前記第2の領域に含まれ、前記バイオメトリックデータベース(7)が、前記第1の領域に含まれる特性要素の数が第1の整数より小さいことを示す第1の情報と、前記第2の領域に含まれる特性要素の数が第2の整数より小さいことを示す第2の情報を格納し、前記第2の整数が前記第1の整数より大きい、請求項3に記載の方法。
【請求項５】
少なくとも1つの画定された領域(11)に対して、前記バイオメトリックデータベース(7)が、前記領域に含まれる特性要素の数がゼロであることを示す少なくとも1つの情報を格納する、請求項1から4のいずれか一項に記載の方法。
【請求項６】
アイデンティティデータベースに前記個体のアイデンティティを格納するステップをさらに含み、リンクが、前記アイデンティティデータベースに格納されている前記アイデンティティと、前記画定された領域に含まれる前記特性要素の数(n1,n2,...,nm)がそれぞれの所定の整数(N1,N2,...,Nm)より小さいことを示す、前記バイオメトリックデータベース(7)に格納されている前記情報((Z1,N1),(Z2,N2),...,(Zm,Nm))との間に設けられる、請求項1から5のいずれか一項に記載の方法。
【請求項７】
請求項1から6のいずれか一項に記載の登録手順中に構築されたバイオメトリックデータベース(14)を使用するバイオメトリック認証の方法であって、所与の個体(P')に対して、
-  前記所与の個体の生物学的属性の画像(I')を取得するステップであって、前記生物学的属性が1組の特性要素を含む、ステップと、
-  前記取得された画像内で、前記登録手順中に画定された少なくとも1つの領域(Zi1,Zi2,...,Zim)にそれぞれ対応する少なくとも1つの領域(Z'i1,Z'i2,...,Z'im)を検出するステップと、
-  前記検出された領域に含まれる特性要素の数(n'1,n'2,...,n'm)を計数するステップと、
-  登録済みの個体(Pi)に対して前記バイオメトリックデータベースに格納されている情報が、前記画定された領域に含まれる特性要素の数が前記所与の個体に対する所定の整数(Ni1,Ni2,...,Nim)より小さいが、前記検出された領域に含まれる特性要素の数が前記所定の整数より小さくないことを示すとき、前記所与の個体が少なくとも1つの前記登録済みの個体に一致しないと結論づけるステップと
を含む、バイオメトリック認証の方法。
【請求項８】
バイオメトリックデータベース(14)が、前記登録済みの個体の生物学的属性の特性要素(10)に対する他の情報をさらに格納し、前記バイオメトリック認証が、前記所与の個体の生物学的属性の特性要素に関する少なくとも1つの対応する情報と、前記所与の個体との間の一致がないと以前に結論づけられていない少なくとも1つの個体に対して前記バイオメトリックデータベースに格納されている少なくとも1つの情報とを後で比較する段階をさらに含む、請求項7に記載の方法。
【請求項９】
請求項1から6のいずれか一項に記載のバイオメトリック認証の目的で個体を登録する方法を実施するように構成されたシステムまたはデバイスであって、
-  前記個体の生物学的属性の画像(I)を取得するための取得ユニットであって、前記生物学的属性が1組の特性要素(10)を含む、取得ユニットと、
-  前記取得された画像の内部に、前記生物学的属性の少なくとも一部分を含む少なくとも1つの領域(Z1,Z2,...,Zm;11,12)を画定するための画定ユニットと、
-  前記画定された領域に含まれる特性要素の数(n1,n2,...,nm)がそれぞれの所定の整数(N1,N2,...,Nm)より小さいことを示す少なくとも1つの情報((Z1,N1),(Z2,N2),...,(Zm,Nm))を格納するためのバイオメトリックデータベース(7)と
を備えるシステムまたはデバイス。
【請求項１０】
請求項7または8に記載のバイオメトリック認証の方法を実施するように構成されたシステムまたはデバイスであって、所与の個体(P')に対して
-  前記所与の個体の生物学的属性の画像(I')を取得するための取得ユニットであって、前記生物学的属性が、1組の特性要素を含む、取得ユニットと、
-  前記取得された画像において、前記登録手順中に画定された少なくとも1つの領域(Zi1,Zi2,...,Zim)にそれぞれ対応する少なくとも1つの領域(Z'i1,Z'i2,...,Z'im)を検出するための検出ユニットと、
-  前記検出された領域に含まれる特性要素の数(n'1,n'2,...,n'm)を計数するための計数ユニットと、
-  登録済みの個体(Pi)に対して前記バイオメトリックデータベースに格納されている前記情報が、前記画定された領域に含まれる特性要素の数が前記所与の個体に対する所定の整数(Ni1,Ni2,...,Nim)より小さいが、前記検出された領域に含まれる特性要素の数が前記所定の整数より小さくないことを示すとき、前記所与の個体が少なくとも1つの前記登録済みの個体に一致しないと結論づけるための判定ユニットと
を備えるシステムまたはデバイス。
【請求項１１】
コンピュータ手段にロードされこれにより実行されるとき、請求項1から6のいずれか一項に記載の登録手順および/または請求項7または8に記載のバイオメトリック認証方法を実施するための命令を含むコンピュータプログラム。
【発明の詳細な説明】
【技術分野】
【０００１】
本発明は、バイオメトリック認証(biometric verification)に関する。
【背景技術】
【０００２】
バイオメトリック認証とは、通常どおり、個体(人間または動物)の1つまたは複数の生物学的属性(たとえば指紋のマニューシャ、指の全体的な形状、手または指の静脈、声の特徴、虹彩の特徴など)の特性に関するバイオメトリックデータからのこれらの個体の認証(authentication)または識別を意味する。
【０００３】
このようなバイオメトリック認証は、従来の方法でデータベースを使用し、この中にバイオメトリックデータが格納される。これらのデータは、バイオメトリック認証の後で特定の権利(運転免許証、大量輸送機関の切符、報酬、入室許可など)を発行されうるように登録(サインアップ)段階が以前に実行された個体に関するものである。
【０００４】
バイオメトリック認証の非常に単純な例が図1に示されている。この図は、登録済みの個体に対する1組のバイオメトリックデータb1,b2,...,bNを格納するデータベース1を示す。
【０００５】
たとえば、これらのバイオメトリックデータb1,b2,...,bNは、異なる個体のそれぞれの何らかの生物学的属性(たとえば、指紋、虹彩などの画像)、生物学的属性に対する特性(たとえば、指紋の場合はマニューシャの種類、位置、および向き)、または何らかの他のデータを表す画像である。
【０００６】
有利には、バイオメトリックデータのデジタル表現は、操作を単純化し、これらのデータを暗号化アルゴリズムで使用可能にするために使用されうる。
【０００７】
非限定的な例として、データベース1に格納されているバイオメトリックデータb1,b2,...,bNはそれぞれ、デジタルベクトル、たとえば二値ベクトルからなることができる。バイオメトリック情報からデジタルベクトルを得る多数の方法が知られている。
【０００８】
図1の例では、バイオメトリック認証は、所与の固体に対して次のように行われる。検討される個体に対して、バイオメトリックデータ項目b'が、たとえばデジタルベクトルの形態で得られる。このデータ項目b'は、データベース1に格納されているデータb1,b2,...,bNのすべてまたは一部と比較される(参照2)。
【０００９】
このデータと一致するかまたは十分に近い場合、関係する個体は、登録済みの個体(識別)またはその個体が主張している登録済みの個体(認証)に一致すると推論することができる。この結果、図1では、Rというラベルが付される。
【００１０】
したがって、このようなバイオメトリック認証は包括モデルに基づくものであり、このモデルでは、登録済みの個体の生物学的属性が、認証中(being verified)の個体の特徴に十分に近い特徴であることを明らかにするとすぐに、その登録済みの個体を保持する傾向がある。
【００１１】
このようなモデルでは、特定の問題が生じる可能性が高い。
【００１２】
特に、このようなモデルでは、大量の有効な情報を格納することが必要な場合がある。一例として、指紋のマニューシャでは、マニューシャの種類(隆線の端点または分岐点)、位置、および向きを格納することが必要な場合がある。
【００１３】
このような情報によって、特に不正直な人間がデータベース1の内容へのアクセスに成功した場合、指紋を復元することによって、個体を見つけることが可能になりうる。これは、個体のプライバシーおよび自由の保護と対立する。
【００１４】
さらに、バイオメトリック認証中に実行される演算の数が多くなることがあり、これは、計算能力および処理時間に関する損害が大きい。指紋については、b'とデータベース1に格納されているデータb1,b2,...,bNのいくつかまたはすべてとの間の比較2で、調べられている各指紋の各マニューシャの種類、位置、および向きの比較を必要とすることがある。
【００１５】
認証の場合、バイオメトリックデータベース1は、個体が、その個体が主張している登録済みの個体かどうかの判定を可能にするために、アイデンティティデータベース(たとえば、英数字の形態で)に接続される必要がある。バイオメトリックデータとこれらのデータベースに格納されているアイデンティティデータが1対1の関係であることによって、不正直な人間は、これらの2種類のデータが対応することに非常に容易に気付くことができる。このような人間は、この対応を使用して、登録済みの個体のアイデンティティを盗むことができる。
【００１６】
この問題を解決するため、バイオメトリックデータベース1とアイデンティティデータベースの間の「弱いリンク」を使用することが提案されている。このような弱いリンクでは、バイオメトリックデータとアイデンティティデータの間の1対1の対応を確立できないが、許容できる成功水準で認証が依然として許可される。しかし、この弱いリンク法を提起するのは比較的複雑である。
【発明の概要】
【発明が解決しようとする課題】
【００１７】
本発明の1つの目的は、これらの欠点のうちの少なくともいくつかを制限することである。
【課題を解決するための手段】
【００１８】
したがって、本発明は、バイオメトリック認証の目的で個体を登録するための方法であって、
-  前記個体の生物学的属性の画像を取得するステップであって、前記生物学的属性が、1組の特性要素を含む、ステップと、
-  この取得された画像の内部に、前記生物学的属性の少なくとも一部分を含む少なくとも1つの領域を画定するステップと、
-  バイオメトリックデータベースに、前記画定された領域に含まれる特性要素の数がそれぞれの所定の整数より小さいことを示す少なくとも1つの情報を格納するステップと
を含む方法を提案する。
【００１９】
このような方法は、バイオメトリックデータベースに生物学的属性の特性に関する不正確な情報のみを格納し、このような情報が不正直な人間によって不正使用されて、登録済みの個体のアイデンティティを特定しうるリスクを限定する。
【００２０】
任意の考えられる形で組み合わせされうる有利な実施形態によれば、
-  基準系(reference system)は、生物学的属性の少なくとも1つの注目すべき要素に応じて取得された画像内に配置され、前記領域は、前記基準系に対して画定され、
-  複数の領域が、取得された画像内で画定され、前記複数の領域のうちの少なくともいくつかが、少なくとも部分的に重なり合い、
-  前記複数の領域は、少なくとも第1の領域と第2の領域とを含み、この第1の領域はこの第2の領域に含まれ、バイオメトリックデータベースは、第1の領域に含まれる特性要素の数が第1の整数より小さいことを示す第1の情報と、第2の領域に含まれる特性要素の数が第2の整数より小さいことを示す第2の情報を格納し、この第2の整数はこの第1の整数より大きく、
-  少なくとも1つの画定された領域に対して、バイオメトリックデータベースは、前記領域に含まれる特性要素の数がゼロであることを示す少なくとも1つの情報を格納し、かつ/または、
-  前記個体のアイデンティティがアイデンティティデータベースにさらに格納され、リンクが、アイデンティティデータベースに格納されている前記アイデンティティと、前記画定された領域に含まれる特性要素の数がそれぞれの所定の整数より小さいことを示す、バイオメトリックデータベースに格納されている前記情報との間に設けられる。このようなリンクは、場合によっては、これら2つの情報間の1対1の対応など、強力であってよい。
【００２１】
本発明の別の態様では、上述の登録手順中に構築されたバイオメトリックデータベースを使用するバイオメトリック認証の方法が提案される。このバイオメトリック認証方法は、所与の個体に対して、
-  この所与の個体の生物学的属性の画像を取得するステップであって、前記生物学的属性が、1組の特性要素を含む、ステップと、
-  この取得された画像内で、登録手順中に画定された少なくとも1つの領域にそれぞれ対応する少なくとも1つの領域を検出するステップと、
-  前記検出された領域に含まれる特性要素の数を計数するステップと、
-  登録済みの個体に対してバイオメトリックデータベースに格納されている情報が、画定された領域に含まれる特性要素の数が所与の個体に対する所定の整数より小さいが、検出された領域に含まれる特性要素の数が前記所定の整数より小さくないことを示すとき、所与の個体が少なくとも1つの前記登録済みの個体に一致しないと結論づけるステップと
を含む。
【００２２】
このようなバイオメトリック認証は、排他的モデルとして動作する。なぜなら、このバイオメトリック認証は、バイオメトリック認証の対象である個体と異なる特性要素の分布を有する登録済みの個体を排除するからである。これは、個体に関するバイオメトリックデータに十分に近いことが検出されたとき、登録済みの個体のみが、バイオメトリック認証の対象である個体に対する比較の候補となる従来の包括的モデルとは対照的である。
【００２３】
有利には、排他的モデルは、登録済みのすべての個体の初期ソートに使用可能であり、次に、従来の包括的モデルが、登録済みの個体またはバイオメトリック認証の対象である個体に最も近い個体のみを保持することによって、選択を完了することができる。
【００２４】
本発明は、上述の登録方法および/またはバイオメトリック認証方法を実施するためのシステムまたはデバイスも提案する。
【００２５】
本発明は、さらに、コンピュータ手段にロードされ、これにより実行されたときに、上述の登録方法および/またはバイオメトリック認証方法を実施するための命令を含むコンピュータプログラム製品を提案する。
【００２６】
本発明のその他の特徴および利点は、添付の図面に関する非限定的な実施形態のいくつかの例についての以下の説明から明らかであろう。
【図面の簡単な説明】
【００２７】
【図１】すでに説明した、従来技術によるバイオメトリック認証の非常に単純な例を示す図である。
【図２】本発明の例示的な実施形態により実施される登録を示す図である。
【図３】本発明の例示的な実施形態により操作される生物学的属性の画像を示す図である。
【図４】本発明の例示的な実施形態により実施されるバイオメトリック認証を示す図である。
【発明を実施するための形態】
【００２８】
本発明の第1の態様は、後のバイオメトリック認証を目的とした1つまたは複数の個体の登録に関する。
【００２９】
個体Pの登録は、たとえば、図2に示されるステップにより行われることができる。
【００３０】
次に、ステップ3では、個体Pの生物学的属性の画像が取得される。関係する生物学的属性は、任意の種類および任意の性質であってよい。この生物学的属性は、たとえば、指紋、手、虹彩、指もしくは手の静脈の網、顔、上記の生物学的属性の任意の組み合わせ、またはその他の何らかの属性(複数可)に関係するものであってよい。
【００３１】
いかなる場合でも、関係する生物学的属性は、1組の特性要素を含む。これらの特性要素も、任意の種類および任意の性質であってよい。たとえば、これらの特性要素は、指紋のマニューシャ(隆線の端点)、手もしくは顔の全体的な形状、虹彩のパターン(texture)、静脈の網の幾何学的形状における注目すべき点、またはその他の要素に関係するものであってよい。
【００３２】
関係する生物学的属性の画像は、適切な手段によって取得される。たとえば、場合によっては適切なバイオメトリックセンサと一体化されたカメラまたはビデオカメラが使用されうる。
【００３３】
画像が取得されると、1つまたは複数の領域Z1,Z2,...,Zmが確定され、ここで、mは任意の整数である(ステップ4)。これらの領域のそれぞれは、関係する生物学的属性の少なくとも一部分を含む。
【００３４】
図3に示される非限定的な例では、明確にするためにアウトライン8および中央の隆線部分のみが表されている指紋の画像について検討する。このような指紋は、隆線の端点および分岐点がマニューシャ10(図3では「x」マークで示されている)を構成する1組の隆線を含む。
【００３５】
図3の画像Iには、それぞれ指紋の一部分を含む領域11および領域12が画定される。これらの領域のすべてまたは一部の画定は、取得された画像Iにおける指紋の幾何学的形状および/または位置を考慮に入れることによって、実行可能である。
【００３６】
この目的のため、基準系は、有利には、たとえば関係する生物学的属性の少なくとも1つの注目すべき要素に応じて、画像I内に配置されうる。
【００３７】
図3に示される例では、生物学的属性が指紋からなる場合、注目すべき要素は、たとえば、指紋の中心部9(形態学的中心)である。指紋の中心部を検出するための技術はよく知られており、本発明の状況で使用されうる。たとえば、以下の刊行物、すなわち、A. M. BazenおよびR. N. J. Veldhuisによる「Detection of cores in fingerprints with improved dimension reduction」、4th IEEE Benelux Signal Processing Symposium (SPS-2004)、Hilvarenbeek、オランダ、2004年、41〜44頁、またはA. M. BazenおよびS. H. Gerezの「Systematic methods for the computation of the directional fields and singular points of fingerprints」、IEEE Trans. Pattern Anal. Mach. Intell.、24巻、7号、905〜919頁、2002年を参照することができる。
【００３８】
基準系13は、その場合、この中心部9にそれぞれ配置可能であり、たとえば、その原点を中央点および/またはその軸に、この中心部の向きにより決まる方向に置く。当業者に明らかであるように、画像Iに基準系を配置する他の手段が考えられる。
【００３９】
関係する生物学的属性が指紋でないとき、その他の種類の注目すべき要素が、取得された画像Iに基準系を配置するために使用されうる。考えられうる例は、虹彩の場合は瞳孔、顔の場合は鼻、手の場合は幾何学的中心、またはその他の要素である。
【００４０】
領域Z1,Z2...,Zmは、有利には、このようにして配置された基準系に対して画定可能である。その場合、これらの領域は、画像Iの取得条件に依存しない。たとえば、これらの領域は、指の指紋画像が、予想された形で置かれて取得されたのか、それとも予想位置に対する1回もしくは複数回の平行移動および/もしくは回転により置かれて取得されたのかに関係なく、指紋に対して同じように置かれてよい。
【００４１】
図3の例では、2組の領域が指紋画像上で画定される。
【００４２】
第1の組の領域11は、基準系13に対して指紋の右上部に画定される。領域11の数は4である。領域11は、正方形または長方形の形状であり、互いの内部に同心状にはめ込まれる。
【００４３】
第2の組の領域12は、指紋の左下部分に画定される。これらの領域12の数も4である。領域12は、円形または楕円形の形状であり、これらのうちいくつかは、少なくとも部分的に重なり合う。
【００４４】
これは例示的な例に過ぎないことを理解されたい。当業者に明らかであるように、場合によっては異なる形状および/または位置を持つその他の種類の領域がもちろん考えられる。
【００４５】
それぞれの画定された領域Z1,Z2,...,Zmに含まれる特性要素の数n1,n2,...,nm(ステップ5)について検討する。図3の例では、11と表記される領域内のマニューシャ10の数は、最も小さいものから順に、それぞれ0、1、6、および15である。12と表記される領域内のマニューシャ10の数は、それぞれ1、3、1、および5である。
【００４６】
1組の整数N1,N2,...,Nmは、それぞれの画定された領域Z1,Z2,...,Zmに含まれる特性要素の数n1,n2,...,nmがそれぞれ前記整数より小さい(すなわち、これより小さいかまたはこれに等しい)ように定義可能である。簡単にするため、一般に、N1,N2,...,Nmはn1<N1,n2<N2,...,およびnm<Nm(ステップ6)であるように記述することができる。
【００４７】
整数N1,N2,...,Nmは、たとえば、11と表記される領域の場合は値0、1、6、および15、ならびに12と表記される領域の場合は1、1、3、および5を仮定することができる。
【００４８】
最小の領域11に対する整数が0に等しいことに留意されたい。したがって、この領域は、マニューシャがないことを特徴とする。これは、バイオメトリック要素の不在ではなく、その存在および性質を確立することを意図する、登録の従来の方針に反する。この「否定的な」表現は0より大きい、整数N1,N2,...,Nmにも拡張される。なぜなら、対応する領域は、所定の数の特性要素より多くを含まないように画定されうるからである。
【００４９】
有利な実施形態では、領域Z1,Z2,...,Zmは、整数N1,N2,...,Nmに対して画定される。たとえば、図3の入れ子になった領域11は、それぞれ整数0、1、6、および15より小さいいくつかのマニューシャ10を含む指紋の右上部の最大の領域からなるように画定可能である。この場合、得られる領域Z1,Z2,...,Zmは、指紋によりかなり著しく異なることがある。
【００５０】
個体Pの登録は、バイオメトリックデータベースに、それぞれの領域Z1,Z2,...,Zmに含まれる特性要素の数n1,n2,...,nmがそれぞれ整数N1,N2,...,Nmより小さいことを示す情報を格納する(ステップ7)ことによって終了する。
【００５１】
この格納される情報は、図2に示されるように、対応する整数N1,N2,...,Nmと関連する各領域Z1,Z2,...,Zmの識別からなることができる。
【００５２】
ただし、この情報は、たとえば領域Z1,Z2,...,Zmおよび/または整数N1,N2,...,Nmを識別するための他の方法が存在するとき、単純化されうる。たとえば、領域Z1,Z2,...,Zmが、登録済みのすべての個体に対して同じように画定される場合、整数N1,N2,...,Nmのみを格納するのに十分であってよい。同様に、整数N1,N2,...,Nmが、(たとえば、領域Z1,Z2,...,Zmが、ケースバイケースで、それぞれ所定の整数N1,N2,...,Nmより小さいいくつかの特性要素を示すように構築されるので)登録済みのすべての個体に共通である場合、領域Z1,Z2,...,Zmを識別する情報の格納が十分でありうる。いかなる場合でも、バイオメトリックデータベースに格納される情報によって、領域Z1,Z2,...,Zmに含まれる特性要素の数がそれぞれ整数N1,N2,...,Nmより小さいことが理解できなければならない。
【００５３】
このようにして構築されたバイオメトリックデータベースは、登録済みの個体についての情報をほとんど明らかにしないので、重要である。特に、生物学的属性の特定の領域内の特性要素の数が所定の整数より小さいことを知ることによって、たとえば指紋の複数のマニューシャのそれぞれの種類、位置、および向きなどのこれらの特性要素の正確な記述に比べて、情報をはるかに少なくすることが可能になる。
【００５４】
たとえ不正直な人間がこの種類のバイオメトリックデータベースにアクセスできるようになっても、その人間は、このデータベースに格納されている情報から登録済みの個体を明確に識別することはできないであろう。したがって、登録済みの個体の個々の自由およびプライバシーの維持に関しては、導入部で言及した従来技術より優れている。
【００５５】
上述のように構築されたバイオメトリックデータベースは、登録済みの個体についての情報をほとんど明らかにせず、アイデンティティ(たとえば、英数字)のデータベースに接続されうる。これらの2つのデータベースのデータ間のリンクは、強力なリンクたとえば1対1の関係であってよく、個体に対する各組のバイオメトリックデータは、それぞれのアイデンティティと関連する。一例として、個体Pは、アイデンティティデータベースに格納されているその者のアイデンティティを、このアイデンティティとデータベース7に格納されているPに関する情報との間に設けられたリンク(ポインタなど)を使用して、確認することができる。
【００５６】
したがって、導入部で言及した弱いリンク法の複雑さは、登録済みの個体のバイオメトリとアイデンティティの間の特定の対応を不正直な人間が発見できるようにすることなく、回避される。
【００５７】
本発明の第2の態様は、上述の原理による1つまたは複数の個体の登録に続くバイオメトリック認証に関する。
【００５８】
バイオメトリック認証の一例について、個体P'に対して図4に関して以下で説明する。
【００５９】
バイオメトリック認証に使用されるデータベース14は、1組の登録済みの個体P1,P2,...,Ppに関して上述の原理に従って構築され、ここで、pは任意の整数である。7と表記されるデータベースと同様に、14と表記されるデータベースは、たとえば、種類の情報(Zj1,Nj1),(Zj2,Nj2),...,(Zjm,Njm)を格納し、ここで、jは1からpの範囲に及び、登録済みの個体を識別する。図2に関して上記で説明したように、その他の種類の情報がデータベース14に格納されてもよい。
【００６０】
個体P'がバイオメトリック認証に供されるとき、1組の特性要素を含むその個体の生物学的属性のうちの1つの画像I'が取得される(ステップ15)。関係する生物学的属性および特性要素は、有利には、登録段階で使用された生物学的属性および特性要素であるが、変形形態が考えられる。
【００６１】
画像I'を取得するための方法は、画像Iを取得するために登録中に使用された方法と同一または類似であってよい。たとえば、同じ種類の取得デバイス、または同じ特定のデバイスですら、使用されてもよい。
【００６２】
ステップ16では、取得された画像I'において、登録中に画定された少なくとも1つの領域に対応する少なくとも1つの領域が検出される。
【００６３】
たとえば、登録済みのすべての個体に対して同じ1組の領域Z1,Z2,...,Zmが画定されている場合、1組の同一または類似の領域(たとえば、画像内で平行移動、回転、整列などの小さな調整により)が画像I'で検出される。
【００６４】
逆に、複数組の別個の領域が登録中に個体に基づいて画定された場合、複数組の対応する別個の領域が、バイオメトリックデータベース14で検討されるエントリに応じて画像I'で検出される。一例として、バイオメトリック認証の所与の瞬間に、個体P'と以前に登録済みの個体Piの間の一致(または不一致)を調べることを希望する場合、画像I'内で、個体Piに対して画定された1組の領域Zi1,Zi2,...,Zimに対応する1組の領域Z'i1,Z'i2,...,Z'imなどを検出する。この目的で、たとえば、領域Z'i1,Z'i2,...,Z'imの標識(indication)がバイオメトリックデータベース14から読み込まれる。
【００６５】
一例として、画像I'内でこのようにして検出された領域Z'i1,Z'i2,...,Z'imは、たとえば、図3の領域11および領域12と同一または類似であってよい。
【００６６】
領域Zi1,Zi2,...,Zimが、指紋の注目すべき要素に応じて指紋上に配置された基準系を使用して登録中に画定された場合、領域Z'i1,Z'i2,...,Z'imも同様に画像I'で検出されうることに留意されたい。したがって、画像Iおよび画像I'における指紋の異なる向きおよび/または位置決定は、2つの場合に同等の領域を得ることを妨げない。
【００６７】
次に、ステップ17では、検出された領域Z'i1,Z'i2,...,Z'imに含まれる特性要素の数n'l,n'2,...,n'mが計数される。指紋の場合、たとえば、各検出された領域内のマニューシャの数が計数される。
【００６８】
ステップ18では、領域Z'i1,Z'i2,...,Z'imのために得られた数n'l,n'2,...,n'mが、有利には、バイオメトリックデータベース14に格納されている、個体Piに対するそれぞれの整数Ni1,Ni2,...,Nimと比較される。
【００６９】
認証の場合、個体Piに対応する領域Zi1,Zi2,...,Zimのデータおよび/または整数Ni1,Ni2,...,Nimは、たとえば、この個体がその個体のアイデンティティを指定し、かつこのアイデンティティが、バイオメトリックデータベース14との強力なリンク(たとえば、上述のように、格納されている複数組のデータ間の1対1の対応)を有する、登録済みの個体のアイデンティティからなるデータベースで見つかった後に得られる。
【００７０】
ステップ18の間に、たとえば、数n'l,n'2,...,n'mが整数Ni1,Ni2,...,Nimより小さいかどうかがチェックされる。
【００７１】
数n'l,n'2,...,n'mが整数Ni1,Ni2,...,Nimより小さくない場合、たとえばn'l,n'2,...,n'mの中の1つまたは複数の数がそれぞれの整数Ni1,Ni2,...,Nimより大きい(一方、バイオメトリックデータベース14に格納されている情報によれば、Piの生物学的属性における特性要素の数n'l,n'2,...,n'mはすべて、それぞれの整数Ni1,Ni2,...,Nimより小さい)ので、これは、個体P'と個体Piの指紋ではマニューシャの分布が異なることを意味すると解釈される。P'は個体Piに相当しないと結論づけられる。P'とPiの間に一致はない。言い換えれば、Piは、Pと同じアイデンティティを有する可能性が高い候補とならない。したがって、この可能性は否定される(ステップ19)。
【００７２】
したがって、認証の場合は、P'はその個体が主張している個体Piではないと結論づけられうる。識別の場合は、同じステップ16〜19は、少なくとも1つの潜在的な候補が見つからない限り(調べられている登録済みの個体が否定される限り、を意味する)、登録済みの別の個体Pkに対して継続することができ、ここで、kはiと異なる。
【００７３】
したがって、このようなバイオメトリック認証は、その生物学的属性の特性要素の分布に課せられた制限が、バイオメトリック認証の対象である個体の生物学的属性によって満たされない限り、登録済みの個体を潜在的な候補として否定する傾向がある排他的モデルに基づくことを理解されたい。これは、導入部で提示した従来の包括的モデルとは異なる。
【００７４】
本発明のバイオメトリック認証によって実施される排他的モデルは、特に効果的となりうる。たとえば、この排他的モデルは、検討される生物学的属性の領域(たとえば、図3の例の最小の領域11)または限られた数の領域が、登録済みの個体に対して設定された最大数より多いいくつかの特性要素を有し、登録済みの個体と一致しないのに十分となりうる。反対に、2つの指紋の間の従来の一致では、典型的には、十分な数のマニューシャの種類、位置、および向きの比較が必要であり、かなりの数の演算を意味することがある。
【００７５】
本発明の有利な実施形態では、登録によって、上述のバイオメトリックデータベース14に格納されている情報に加えて、登録済みの個体の生物学的属性の特性要素に対する他の情報が提供される。この情報は、たとえば、指紋の場合はマニューシャに関する情報(たとえば種類、位置、向き)またはその他の情報などの従来のバイオメトリックデータである。これらのバイオメトリックデータは、バイオメトリックデータベース14の上記で提示したデータの隣または別のバイオメトリックデータベースに格納されうる。
【００７６】
この実施形態では、特定の数の登録済みの個体を迅速に除外するために、図4に関して説明したバイオメトリック認証のステップが第1の段階で実施される。次に、後の比較段階が実施される。この段階は、有利には、第1の段階でまだ排除されていない登録済みの個体に限定可能である。この比較(一致)では、バイオメトリック認証の従来の包括的モデルを使用できるが、有利に限定されたグループの登録済みの個体に対して使用できる。
【００７７】
一例として、この比較は、バイオメトリック認証の対象である個体の生物学的属性の特性要素に関する少なくとも1つの情報と、バイオメトリックデータを意味する、登録中に格納された対応する情報との間の比較を含むことができる。
【００７８】
このような一実施形態によって、従来の場合とほぼ同じレベルの信頼性を持つが収束時間が短縮されたバイオメトリック認証が可能となりうる。
【００７９】
本発明による登録およびバイオメトリック認証はそれぞれ、この目的に適した要素を備えるシステムまたはデバイスを使用して実行されうる。このシステムまたはデバイスは、たとえば、データ処理モジュールを伴うバイオメトリック採取端末からなることができる。これは、登録とバイオメトリック認証の両方で使用可能である。一変形形態として、別個のシステムまたはデバイスがこれら2つの手順に使用されてもよい。
【００８０】
上述の登録演算およびバイオメトリック認証演算のすべてまたはいくつかは、コンピュータ手段にロードされ、これにより実行されたときに、適切な命令を含む少なくとも1つのコンピュータプログラムを用いて実施されうる。
【符号の説明】
【００８１】
1  データベース
2  参照、比較
7  データベース
8  アウトライン
9  中心部
10  マニューシャ
11  領域
12  領域
13  基準系
14  バイオメトリックデータベース
【図１】
2013526744.tif 000003
【図２】
2013526744.tif 000004
【図３】
2013526744.tif 000005
【図４】
2013526744.tif 000006
【国際調査報告】
2013526744.tif 000007
2013526744.tif 000008
2013526744.tif 000009
2013526744.tif 000010